(57)【要約】【課題】光軸方向の厚みを薄くするとともに、第１の部材とは独立して進退可能な第２の部材の光学性能を劣化させることがない。【解決手段】地板５に形成された開口部５ｅに対して進退可能であり、開口部の通過光量を調節する第１の部材１〜３と、第１の部材に接触しながら開口部に対して第１の部材とは独立して進退可能であり、開口部の通過光量を調節する光学的有効部４ｃを備えた第２の部材４とを有し、第１の部材と第２の部材のうちの一方の、互いに接触する部分に突起部１ｃを設け、該突起部が第２の板材の光学的有効部を避けた領域部分にある構成にしている。【選択図】図２
2007094248.tif 000002
【特許請求の範囲】
【請求項１】
地板に形成された開口部に対して進退可能であり、前記開口部の通過光量を調節する第１の部材と、
前記第１の部材に接触しながら前記開口部に対して前記第１の部材とは独立して進退可能であり、前記開口部の通過光量を調節する光学的有効部を備えた第２の部材と、
を有し、
前記第１の部材と前記第２の部材のうちの一方の、互いに接触する部分に突起部を設け、該突起部が前記第２の部材の前記光学的有効部を避けた領域部分にあることを特徴とする光量調節装置。
【請求項２】
前記突起部は、前記第１の部材と前記第２の部材のうちの一方の面にエンボス加工で形成されたことを特徴とする請求項１に記載の光量調節装置。
【請求項３】
前記突起部は、樹脂で形成される前記第１の部材と前記第２の部材のうちの一方に一体的に形成されていることを特徴とする請求項１に記載の光量調節装置。
【請求項４】
請求項１ないし３のいずれかに記載の光量調節装置を具備したことを特徴とする撮像装置。
【発明の詳細な説明】
【技術分野】
【０００１】
本発明は、シャッタ装置等の光量調節装置、および、該光量調節装置を具備するスチルカメラ、ビデオカメラ等の撮像装置に関するものである。
【背景技術】
【０００２】
近年、スチルカメラやビデオカメラの小型化に伴い、撮影光学系の小型化も著しくなっている。撮影光学系を小型化するには、レンズ自体を小さくすることはもちろんである。それに伴い、撮影光透過用の開口の大きさを変化させるシャッタ装置も小型化する必要がある。そのため、シャッタ装置の開口部の口径も小さくなるが、余り小さくなりすぎると回折が生じて良好な画像が得られない。そこで、ＮＤフィルタを撮影光路中に挿入する事で、回折の影響が出ない程度の開口の大きさを保ちながらも、露光量を少なくしている。
【０００３】
従来は上記ＮＤフィルタを保持枠に接着していたが、小型化に伴い、接着スペースも少なくなってきた。そのために、ＮＤフィルタを保持枠に接着せず、例えば、ＮＤフィルタそのものを駆動する構成のシャッタ装置も開示（特許文献１）されている。
【０００４】
一方、シャッタの動作特性を改善するものとして、例えば、金属材料を用いて形成された遮光部材であるところのシャッタ羽根に凸部を設けることで、隣接した羽根同士の隙間を保ちつつも、摩擦力を減らす構成のシャッタ装置が開示（特許文献２）されている。
【特許文献１】特開２００４−１７０５５１号公報
【特許文献２】特開平９−１８９９３５号公報
【発明の開示】
【発明が解決しようとする課題】
【０００５】
図４は、特許文献１に開示されるシャッタ装置１０１である。このシャッタ装置１０１は、ユニットカバー１０２、仕切り板１０３、シャッタ羽根１０４，１０５、羽根駆動リング１０６、ユニットベース１０７、シャッタアクチュエータ１０８、及び、ＮＤフィルタ１０９を具備している。この特許文献１のシャッタ装置１０１では、ＮＤフィルタ１０９そのものを駆動させるため、図示のように、ＮＤフィルタ１０９とシャッタ羽根１０４，１０５の間に仕切り板１０３が必要となる。そのため、光軸方向の厚みが厚くなってしまうという課題を有している。
【０００６】
また、特許文献２のシャッタ装置では、図５に示すように、シャッタ羽根２０１，２０２，２０３がそれぞれ凸部２０１ａ，２０１ｂ，２０２ａ，２０２ｂ，２０３ａ，２０３ｂを具備した構造となっている。しかしながら、凸部２０１ａ〜２０３ｂの位置については特に規定されていない。したがって、例えば、シャッタ羽根の凸部と接する部材がＮＤフィルタのような光量調節部材である場合には、光量調節部材の、上記凸部との接触部分は摩擦によって光学性能が劣化する恐れがある。そのために、凸部の位置規定をする必要がある。
【０００７】
（発明の目的）
本発明の目的は、光軸方向の厚みを薄くするとともに、第１の部材とは独立して進退可能な第２の部材の光学性能を劣化させることのない光量調節装置および撮像装置を提供しようとするものである。
【課題を解決するための手段】
【０００８】
上記目的を達成するために、本発明は、地板に形成された開口部に対して進退可能であり、前記開口部の通過光量を調節する第１の部材と、前記第１の部材に接触しながら前記開口部に対して前記第１の部材とは独立して進退可能であり、前記開口部の通過光量を調節する光学的有効部を備えた第２の部材とを有し、前記第１の部材と前記第２の部材のうちの一方の、互いに接触する部分に突起部を設け、該突起部が前記第２の部材の前記光学的有効部を避けた領域部分にある光量調節装置、および、該光量調節装置を具備した撮像装置を提供しようとするものである。
【発明の効果】
【０００９】
本発明によれば、光軸方向の厚みを薄くするとともに、第１の部材とは独立して進退可能な第２の部材の光学性能を劣化させることのない光量調節装置または撮像装置を提供できるものである。
【発明を実施するための最良の形態】
【００１０】
本発明を実施するための最良の形態は、以下の実施例に示す通りである。
【実施例】
【００１１】
図１〜図３は本発明の一実施例に係る光量調節装置を示す図である。詳しくは、図１は光量調節装置の一例であるシャッタ装置に具備されるシャッタ羽根の構成図、図２は図１のシャッタ羽根が組み込まれたシャッタ装置の分解斜視図、図３はシャッタ装置の作動状態を示す図である。
【００１２】
まず、図２を用いて、本実施例に係るシャッタ装置の構成について説明する。図２において、１，２，３はシャッタ羽根であり、後述の地板５に形成された開口部５ｅに対して進退可能であり、前記開口部５ｅの通過光量を調節するものである。４はＮＤフィルタであり、後述するようにシャッタ羽根１に接触しながら前記開口部５ｅに対して進退可能である。そして、前記開口部５ｅに進入した状態時に通過光量を調節する光学的有効部４ｃ有している。５は支持部材である地板であり、開口部５ｅが形成されている。６は同じく支持部材であるカバー板である。７はシャッタ羽根１〜３を開口部５ｅに対して進退させる駆動源であり、駆動軸７ａを有している。８はＮＤフィルタ４を開口部５ｅに対して進退させる駆動源であり、駆動軸８ａを有している。
【００１３】
シャッタ羽根１〜３はそれぞれ孔１ａ，２ａ，３ａおよび長孔１ｂ，２ｂ，３ｂを有している。そして、孔１ａ，２ａ，３ａが地板５の軸部５ａ，５ｂ，５ｃに係合し、長孔１ｂ，２ｂ，３ｂが駆動源７の駆動軸７ａと係合している。ＮＤフィルタ４は孔４ａおよび長孔４ｂを有しており、孔４ａが地板５の軸５ｄと係合し、長孔４ｂが駆動源８の駆動軸８ａと係合している。
【００１４】
シャッタ羽根１〜３とＮＤフィルタ４はそれぞれ孔１ａ〜３ａ,４ａを中心として回動し、上記のように、地板５に形成された開口部５ｅ対して進退することで該開口部５ｅを通過する光量を調節することができる。
【００１５】
次に、図１を用いて、シャッタ羽根１について、詳しく説明する。シャッタ羽根１は、上記のように回転中心となる孔１ａ及び長孔１ｂを有している。さらに、エンボス（ｅｍｂｏｓｓ）加工によって形成された、羽根基材面よりも厚みが厚くなっている凸領域部１ｃを有している。この凸領域部１ｃは、シャッタ羽根１の孔１ａを中心とした円弧状にその厚みが厚くなっている。
【００１６】
図２に示す通り、シャッタ羽根１とＮＤフィルタ４は光軸方向に隣接して配置されており、かつ、凸領域部１ｃで接している。この凸領域部１ｃは、ＮＤフィルタ４がどのような状態にあったとしても、このＮＤフィルタ４の光学的有効部４ｃ（斜線で示した部分）には接触しないが、光学的有効部４ｃ以外の領域には常に接する形状となっている。
【００１７】
その事を具体的に図３を用いて説明する。図３（ａ）はシャッタ羽根１〜３とＮＤフィルタ４のどちらもが開状態（開口部５ｅから退避した状態）を示す図である。図３（ｂ）はシャッタ羽根１〜３が閉状態（開口部５ｅに進入した状態）であり、ＮＤフィルタ４が開状態を示している。図３（ｃ）はシャッタ羽根１〜３が開状態であるが、ＮＤフィルタ４が閉状態を示している。また、図３（ｄ）はシャッタ羽根１〜３とＮＤフィルタ４のどちらも閉状態時の様子を示している。なお、本実施例では、図３（ａ）の状態において、ＮＤフィルタ４の開口部５ｅに近い側を領域４ｄ、遠い側を領域４ｅとする。
【００１８】
ここで、ＮＤフィルタ４が開いた状態で、シャッタ羽根１〜３が閉じる、つまり図３（ａ）から図３（ｂ）になる際には、シャッタ羽根１は、その凸領域部１ｃがＮＤフィルタ４の領域４ｄに接触した状態で移動するようになっている。
【００１９】
また、シャッタ羽根１〜３が開いた状態で、ＮＤフィルタ４のみが閉じる、つまり図３（ａ）から（ｃ）になる際には、シャッタ羽根１は、その凸領域部１ｃがＮＤフィルタ４の領域４ｄおよび領域４ｅに接触した状態になっている。
【００２０】
また、ＮＤフィルタ４が閉じた状態で、シャッタ羽根１〜３が閉じる、つまり図３（ｃ）から（ｄ）になる際には、シャッタ羽根１は、その凸領域部１ｃがＮＤフィルタ４の領域４ｅに接触した状態で移動するようになっている。
【００２１】
以上の実施例によれば、シャッタ羽根１に凸領域部１ｃを設けるようにしているので、従来のようにシャッタ羽根１とＮＤフィルタ４の間に仕切り板等を具備する必要がなくなり、光軸方向の厚みを薄くすることが可能となる。
【００２２】
また、凸領域部１ｃはＮＤフィルタ４の光学的有効部分４ｃとは接触しない位置に設けられているため、シャッタ羽根１〜３とＮＤフィルタ４の少なくとも一方が開口部５ｅに対して進退されても、ＮＤフィルタ４の光学性能を劣化させることがない。
【００２３】
（変形例）
本実施例では、凸領域部１ｃをエンボス加工で形成したが、シャッタ羽根１〜３を樹脂で形成して凸領域部１ｃを一体成形するようにしてもよい。また、シャッタ羽根１側に凸領域部１ｃを設けたが、ＮＤフィルタ４の光学的有効部分４ｃ以外の部分に凸領域部を設けても良い。
【００２４】
また、上記実施例では、シャッタ羽根を具備したシャッタ装置を例にしているが、これを絞り羽根に置き換えた絞り装置であっても、同様に適用できるものである。
【図面の簡単な説明】
【００２５】
【図１】本発明の一実施例に係わるシャッタ装置に具備されるシャッタ羽根を示す構成図である。
【図２】本発明の一実施例に係わるシャッタ装置を示す分解斜視図である。
【図３】本発明の一実施例に係わるシャッタ装置の作動状態を示す図である。
【図４】従来のシャッタ装置の一例を示す分解斜視図である。
【図５】従来のシャッタ装置の他の例を示す断面図である。
【符号の説明】
【００２６】
１          シャッタ羽根（第１の板部材）
１ａ        孔
１ｂ        長孔
１ｃ        凸領域部（突起部）
２          シャッタ羽根（第１の板部材）
２ａ        孔
２ｂ        長孔
３          シャッタ羽根（第１の板部材）
３ａ        孔
３ｂ        長孔
４          ＮＤフィルタ（第２の板部材）
５          地板
５ｅ        開口部
７，８      駆動源
【図１】
2007094248.tif 000003
【図２】
2007094248.tif 000004
【図３】
2007094248.tif 000005
【図４】
2007094248.tif 000006
【図５】
2007094248.tif 000007